(57)【要約】ホルダ20,40、マントルクリップ24,56、および、マントル22を有するマントルアッセンブリが提供される。該ホルダ20,40は、第１の当接面46および第２の当接面48を有し、バイアスをかける、またはその他の手段により、前記マントルクリップ24,56の端部62,64を、該マントルクリップの開口部が開位置に保持されるように、保持している。該端部62,64は、前記マントルクリップ24,56がマントルベース36に配置できるように保持され、前記ホルダ20,40を引き抜く、またはその他の手段により、該端部62,64が前記当接面46,48からスライドして外れるようにして、前記マントルクリップが前記マントルベース36に取り付けられる。該マントルクリップ24,56のマントルベース36への取り付けは、例えば、前記端部62,64がマントルホルダ20,40から解放された後、バイアスにより所定位置に戻り、該マントルクリップ24,56の中央部が小さくなって、マントルベース36の周囲に固定される。
2006524421.tif 000002
【特許請求の範囲】
【請求項１】
マントルをランタンに設置する方法であって、
前記マントルが装着されたマントルクリップに取り付けられたホルダを掴み、
前記マントルクリップがランタンのマントルベースと一致するように、前記ホルダを操作し、
該マントルクリップをホルダから解放することにより、マントルクリップおよびマントルをマントルベースに取り付けることからなる方法。
【請求項２】
前記操作手段として、前記マントルベースの周囲に前記マントルクリップの湾曲部を伸長させることを含む請求項１に記載の方法。
【請求項３】
前記解放手段として、前記マントルベースおよびその周囲にあるマントルクリップから、前記ホルダが離れるように移動させることを含む請求項２に記載の方法。
【請求項４】
前記マントルクリップは、マントルベースを取り囲むように湾曲部を閉じることが可能な第１の位置にバイアスをかけられており、
前記湾曲部は、ホルダによって、前記湾曲部をマントルベースの周囲に伸長させることができる第２の位置に位置付けされており、
前記解放手段として、マントルクリップを第２の位置から解放して第１位置まで移動させることを含む請求項３に記載の方法。
【請求項５】
前記解放手段として、前記マントルクリップの脚部と前記ホルダの当接部との接触により、前記マントルクリップを第２の位置に保持する状態において、前記脚部を前記当接部との接触から除去することを含む請求項４に記載の方法。
【請求項６】
前記マントルクリップは、マントルクリップをマントルベースに取り付けることが可能な第１の位置にバイアスをかけられており、該ホルダは、該マントルクリップが前記マントルベースに対して自在に操作できる第２の位置に前記マントルクリップを位置づけており、前記解放手段として、該マントルクリップを第２の位置から解放し、該マントルクリップを第１の位置に移動させることを含む請求項１に記載の方法。
【請求項７】
前記解放手段として、マントルクリップの端部をホルダの当接部との接触から外すことを含む請求項１に記載の方法。
【請求項８】
マントルと、該マントルに取り付けられたマントルクリップと、該マントルクリップに解放可能に取り付けられたホルダとを備え、前記マントルクリップは、該マントルクリップをランタンのマントルベースに取り付けることが可能な第１の位置と、該マントルクリップを該マントルベースに対して操作可能な第２の位置との間で可変となっており、前記ホルダは、前記マントルクリップに取り付けられた状態で、該マントルクリップを第２の位置に位置づけており、かつ、該マントルクリップが第１の位置に移動するように、第２の位置から該マントルクリップを解放できるようになっている、マントルアッセンブリ。
【請求項９】
前記マントルクリップが、第１の位置をとるようにバイアスをかけられている請求項８に記載のマントルアッセンブリ。
【請求項１０】
前記マントルクリップは、一対の端部を有する単一ワイヤからなり、前記ホルダは、該マントルクリップを第２位置に位置づけるために、前記端部を係合する一対の当接面を備える請求項９に記載のマントルアッセンブリ。
【請求項１１】
前記一対の端部は、互いに近づく方向にバイアスをかけられており、前記一対の当接面は、該端部を離して保持するように位置づけられている請求項１０に記載のマントルアッセンブリ。
【請求項１２】
前記一対の端部は、互いに離れる方向にバイアスをかけられており、前記一対の当接面は該端部を近づけて保持するように位置づけられている請求項１０に記載のマントルアッセンブリ。
【請求項１３】
前記一対の当接面が、ホルダの１つのスロット内にある請求項１０に記載のマントルアッセンブリ。
【請求項１４】
前記一対の当接面が、ホルダのそれぞれ別個の２つのスロット内にある請求項１０に記載のマントルアッセンブリ。
【請求項１５】
前記マントルクリップは、一対の端部を有する単一のワイヤからなり、前記ホルダは、該２つの端部を受け止めるための一対のスロットを備える請求項８に記載のマントルアッセンブリ。
【請求項１６】
前記マントルクリップは、一対の端部を有する単一のワイヤからなり、前記ホルダは、該２つの端部を受け止めるための一つのスロットを備える請求項８に記載のマントルアッセンブリ。
【請求項１７】
前記ホルダは、板紙からなる請求項８に記載のマントルアッセンブリ。
【請求項１８】
マントルと、該マントルに取り付けられたマントルクリップと、該マントルクリップに取り付けられたホルダとを備え、前記マントルクリップは、一対の端部と湾曲部を有する単一のワイヤからなり、該湾曲部は、該マントルクリップがランタンのマントルベースの周囲に嵌合する第１の狭い位置と、該マントルクリップが前記マントルベースの周囲に緩く嵌められる第２の広い位置との間で可変であり、かつ、該マントルクリップは、第１の位置に向けてバイアスをかけられており、前記ホルダは、前記マントルクリップに解放可能に取り付けられており、かつ、該マントルクリップに取り付けられた状態で、該マントルクリップを第２の位置に位置づけ、該マントルクリップを第２の位置から解放でき、これにより、該マントルクリップがバイアスによって第１の位置に移動できるように構成されている、マントルアッセンブリ。
【請求項１９】
前記ホルダが、前記マントルクリップを前記第２の位置に位置づけるために前記端部と係合する一対の当接面を備える請求項１８に記載のマントルアッセンブリ。
【請求項２０】
前記一対の端部が、互いに近づく方向にバイアスをかけられており、前記当接面が、該２つの端部を離れる方向に保持するように配置されている請求項１９に記載のマントルアッセンブリ。
【請求項２１】
前記一対の端部が、互いに離れる方向にバイアスをかけられており、前記当接面が、該ｗつの端部を互いに近づく方向に保持するように配置されている請求項１９に記載のマントルアッセンブリ。
【発明の詳細な説明】
【技術分野】
【０００１】
本発明は、ランタンに関し、より具体的にはランタン用のマントルアッセンブリに関する。
【背景技術】
【０００２】
液体燃料またはＬＰ燃料を燃焼させるランタンが広く知られている。このようなランタンは、燃料が供給されるバーナアッセンブリと、該バーナアッセンブリに取り付けられる一個以上の触媒マントルとを備える。燃料は、触媒マントル中で燃焼し、該マントルは白熱して明るい光を発する。マントルは、通常、円筒のガラスグローブにより取り囲まれている。
【０００３】
マントルは、通常、メッシュ材料により形成され、一開口端を備える小袋状に形成されている。その開口端は、ランタンのバーナアッセンブリのバーナチューブ出口端部の周囲に固定されている。該マントルは、例えば、引きひもによって取り付けることができるが、特に、関節炎を患うなどの理由により、器用な動作が限られているユーザにとって、その引きひもを取り付けることは難しい。
【０００４】
ユーザがマントルを設置しやすいように、製造業者は、上端部に金属スプリングクリップを有するマントルを開発している。このようなマントルの一例として、コールマン社（  Ｔｈｅ  Ｃｏｌｅｍａｎ  Ｃｏｍｐａｎｙ，  Ｉｎｃ．）が本発明とともに所有する、米国特許第５，６３９，２３１号に開示されているようなものが挙げられる。米国特許第５，６３９，２３１号では、スプリングクリップにマントルが固定されたマントルアッセンブリが開示されている。通常、スプリングクリップは、マントル開口部の周囲を取り囲むような環状部と両端部を備える。この端部は、中央にある開口部の大きさを変えるための第１および第２位置の間で可変である。ユーザが両端部を同時に強く握ると、スプリングクリップの開口部が拡がって、スプリングクリップをマントルマウントに嵌めこむことができる。
【０００５】
【特許文献１】米国特許第５，６３９，２３１号
【発明の開示】
【発明が解決しようとする課題】
【０００６】
米国特許第５，６３９，２３１号において開示されているスプリングクリップは、その目的に対しては非常に有用であるが、このようなスプリングクリップを使用したとしても、その両端部を同時に強く握るためには、ある程度の器用さが要求される。この端部は、小さいため取り扱いが難しく、特に器用な動作が限られているユーザにとって、たとえ両端を同時に強く握ることができたとしても、離れているクリップをマントルマウントに合わせることは非常に困難である。
【課題を解決するための手段】
【０００７】
本発明のいくつかの態様について基本的な理解を図るため、以下、発明の簡略化した概要について説明する。この概要は、本発明を広く概観するものではない。この概要は、本発明の主要かつ必須の要素を特定するもの、または、本発明の範囲を示すものではない。この概要の唯一の目的は、後述する詳細な説明に先立つものとして、簡略化した形で本発明の概念を説明することにある。
【０００８】
本発明は、ホルダ、マントルクリップ、および、マントルを有するマントルアッセンブリを提供する。このホルダは、バイアスをかける、または、他の方法により、マントルクリップの端部を保持して、マントルクリップの開口部を開位置に保持するための、第１、第２当接部を備える。これらの端部は、マントルクリップを一旦開位置でマントルベースに配置してから、ホルダを引っ張る、または、他の方法により、端部が当接部からスライドして外れるように操作することにより、マントルクリップがマントルベースに取り付けられるように保持されている。マントルクリップのマントルベースへの取り付けは、例えば、端部がマントルホルダによって開放されると元の位置に戻るようにバイアスがかけられ、中央部が小さくなってマントルベースの周囲に係止されることにより実現される。
【０００９】
本発明の一態様によると、マントルクリップは、マントル開口部を取り囲み、かつ、マントルベースに外嵌される、略環状の中央部を備える。マントルクリップの端部は、中央部の開口部をマントルベース上に嵌め込むことができる第１の開位置と、開口部をマントルベースと同じ大きさあるいはやや小さくすることにより、マントルベースに対しマントルクリップを締め付けることのできる第２の閉位置との間で可変である。ホルダは、端部を第１の位置に保持し、マントルクリップをホルダから解放すると、端部が第２の閉位置に移動するように構成される。
【００１０】
本発明の他の態様によると、端部がクロスしており、端部の先端がホルダによって内方にバイアスをかけられている。マントルクリップをマントルベースに配置してからホルダを引っ張ると、これらの端部が当接部をスライドして外れ、互いに離れるような方向に移動するので、中央部が、収縮してマントルベースの周囲で閉じるようになっている。
【００１１】
本発明の他の態様によると、ホルダは、両端部をそれぞれ離れた位置に保持し、これら端部が解放されると、互いに近づいて、中央部が閉じるようにしてもよい。この両端部は、例えば、ホルダの外側にあるスロット内に配置させる。このスロットの内側は、第１および第２の当接部をなしている。マントルクリップをマントルベースに配置してからホルダを引っ張ると、当接部から離れてスロットから外れることにより、両端部が解放され、両端部が互いに近づく方向に移動して、中央部がマントルベースの周囲で閉じるようになっている。
【００１２】
他の特徴については、下記の各図面とともに、以下に示す詳細な説明によって明らかにされる。
【発明を実施するための最良の形態】
【００１３】
以下において、本発明の種々の態様について説明する。説明を目的として、特定の構成と細部を記載することにより、本発明の基本的な理解を図っている。しかしながら、当業者にとって、特定の細部が示されなくても本発明を実施し得ることも明らかである。さらに、よく知られた機構については、本発明を不明瞭にしないために、省略または簡略化する場合もある。さらに、本発明の方向、例えば「上方」、「下方」、「前方」、「後方」等が記載されている場合でも、これらの方向は読者の発明の理解を補助するためであり、発明を限定するものではない。
【００１４】
以下、図面を参照して説明するが、各図において、同じ構成要素については同じ符号を用いている。図１は、ランタン１０を示すが、該ランタン１０は、本発明によるマントル２２およびマントルクリップ２４を取り付けるためのホルダ２０が使用できるランタンの一例である。ここで、ホルダ２０、マントル２２、および、マントルクリップ２４を「マントルアッセンブリ」と総称し、図１では符号２６にて示す。
【００１５】
図示のランタン１０は、例えば、１６．４ｏｚ（４６４．９３２ｇ）のコールマンブランドのＬＰタンクシリンダ（図示しないが、当該分野において公知である）などのＬＰタンクに外嵌される円筒カラー１２を有する。グローブ１４は、円筒カラー１２の上側に取り付けられ、換気蓋アッセンブリ１６は、グローブ１４を覆っている。ベイル１８は、換気蓋アッセンブリ１６に取り付けられている。
【００１６】
図示の実施形態において、グローブ１４および換気蓋アッセンブリ１６は、円筒カラー１２に対して相対的にスライドするようになっている。図１に示したランタン１０は、ホルダ２０、マントル２２、および、マントルクリップ２４が使用できるランタンの一例として挙げたが、これらホルダ２０、マントル２２、および、マントルクリップ２４は、マントルを用いるいかなる種類のランタンに対しても適用可能である。ランタン１０の細部は、本発明の実施に必須ではないが、ランタンの記述と機能については、２００３年４月１８日に出願され、同時に係属する米国特許出願第３０６１９７号の「ランタン用スライドグローブアッセンブリ（Ｓｌｉｄｉｎｇ  Ｇｌｏｂｅ  Ａｓｓｅｍｂｌｙ  ｆｏｒ  Ｌａｎｔｅｒｎ）」に見ることが出来る。要するに、グローブ１４および換気蓋アッセンブリ１６は、マントルをランタン１０内で、簡単に交換・点火または設置できるように、円筒カラー１２に対し相対的に上方にスライドされる。
【００１７】
一般的に、ランタン（例えば、ランタン１０）は、空気と燃料とを混合するとともに該空気と燃料の混合物をマントルに供給するバーナアッセンブリを有する。ランタンのバーナアッセンブリの構成要素は公知であるが、本明細書において、ランタン１０のバーナアッセンブリの概要を読者のために記載する。ランタン１０は、プロパンタンク１２より供給される燃料の圧力をランタンで使用可能な圧力に低減させるレギュレータ（図示しないが、当該分野において公知である）を有する。一般的に、該レギュレータは、コントロールノブ２８に接続されるバルブ（図示せず）に接続される。該コントロールノブ２８は、図示の実施形態における円筒カラー１２に取り付けられている。該コントロールノブ２８を回すことにより、バーナアッセンブリへの燃料流量が増減する。
【００１８】
図示のバーナアッセンブリにおいては、空気／燃料吸入管３０が、円筒カラー１２からマニホルド３２（ランタン業界においては「ピーナッツ」と呼ばれる）まで上方に伸長する。また、一対のバーナチューブ３４は、マニホルド３２からマントルマウント３６まで下方に伸長する。
【００１９】
ランタン１０の着火用にイグナイタ（図示せず）が設けられている。このようなイグナイタを用いることは公知であり、ここではそのシステムの細部については説明を行わない。また、これに代えてマッチ等を用いて手動により、ランタン１０を点火するようにしてもよい。
【００２０】
操作時には、ユーザがコントロールノブ２８を回すと、これによりイグナイタが火花を生じ、ガスは、空気／燃料吸入管３０とマニホルド３２とを通り、バーナチューブ３６から排出されて、マントルマウント３６に供給される。一般的に、イットリウム等の触媒物質で作られたマントル２２が点灯し、燃料がマントル２２に供給される限り点灯し続ける。
【００２１】
図示の実施形態においてバーナチューブ３４は下方に伸長しているが、本発明の態様はバーナチューブが、上方、側方、またはいかなる角度に伸長するランタンに対しても適用可能である。しかしながら、当該分野において知られているように、図３に示したバーナアッセンブリの構造は、マントル２２が一度点火すると、空気／燃料吸入管３０内と、マニホルド３２内と、バーナチューブ３４内で、燃料混合物が予熱される点で有利である。
【００２２】
図示のランタンの実施形態において、バーナチューブ３４の両端には、特定の構造、すなわちマントルマウント３６が備えられており、このマウントにマントル２２が取り付けられる。本発明の説明において、マントルマウント３６が参照として用いられるが、マントル２２を任意の大きさや形状の構造体に取り付けたり、設置したりすることは可能である。このため、一個または複数のマントル（例えば、マントル２２）が装着される任意の構造体を「マントルベース」と記載する。さらに、本発明のマントルクリップ２４およびマントル２２を、必要に応じて、外嵌、内嵌により、または他の方法により、特定のマントルベースに取り付ける構造とすることもできる。
【００２３】
マントルクリップ２４は、好ましくは、第１の開位置と第２の閉位置の構造を採りうる。閉位置では、マントルクリップ２４は、マントルベースに外嵌され、マントル２２がマントルベースの所定位置に保持されるので、これら２つの部品をマントルベースに取り付けるために支持体をさらに必要とすることはない。開位置では、マントルベースに対するマントルクリップ２４およびマントル２２の取り外し、および、取り付けがより簡単となる。マントルクリップを開位置と閉位置との間で動かすことにより、マントル２２およびマントルクリップ２４をマントルベースから簡単に取り外すことのできる解放状態（開位置）と閉位置との間で操作可能となる。開位置と閉位置との間におけるマントルクリップの具体的な構造および構成について、以下に説明する。
【００２４】
後述するように、本発明のホルダ２０は、通常、グリップ部と、１つあるいは複数の当接部とを有する。グリップ部は、ユーザがホルダ２０を持つ、握る、あるいは操作することによって、ホルダ２０に装着されたマントルクリップ２４およびマントル２２を、開位置と閉位置との間で動かせるようになっている。マントルクリップ２４およびマントル２２は、マントルベース（例えば、マントルマウント３６のうちの一つ）上で閉じられる。１つあるいは複数の当接部は、マントルクリップ２４を支持でき、また、マントルクリップが開位置となるようにバイアスをかけられるようになっている。
【００２５】
いすれの場合でも、ホルダ４０の実施形態は、図２および図３に示すようになる。ホルダ４０は、グリップ部４２を有し、グリップ部４２は涙形のつまみである。ホルダ４０の正面にスロット４４が形成され、そのスロットの左側には第１当接部４６、右側には第２当接部４８がそれぞれ設けられている。これらの各当接部４６、４８は、スロット４４内部で外側に向かって広がるように壁を形成しているので、スロット４４はその開口部から奥に向かうにつれ幅広になっている。
【００２６】
ホルダ４０は、プラスチック、板紙、金属、木材、その他の適当な材料により形成されるが、生物分解性の材料により形成するのが好ましい。一実施形態において、ホルダ４０は、第１層５０、第２層５２、および第３層５４よりなる板紙から形成されており、中央層５２に切り込みを入れることにより、スロット４４が形成されている。これら３つの層５０、５２、５４を、例えば、生物分解性の接着剤で接着してもよい。
【００２７】
ホルダ４０は、図２および図３に示したマントルクリップ５６と共に動作するように構成される。このマントルクリップ５６は、中央湾曲部５８を備え、この中央湾曲部５８は、米国特許第５，６３９，２３１号に開示されているような内方に延出したＶ字型の突出部６０を有する。このＶ字型の突出部６０の機能と用途については、米国特許第５，６３９，２３１号に詳述されているので、ここでの繰り返しを避けるが、概略すると、米国特許第５，６３９，２３１号の一態様によれば、Ｖ字型の突出部６０のような突出部は、マントル全体とマントルマウントとの間に空間をあけることで、マントルがバーナチューブあるいはマントルベースに完全に接触しないようにしている。Ｖ字型の突出部を使うと、マントルとマントルマウントとの間にうまく空間があくが、そのような突出部を使用せずに、本発明を実施してもよい。
【００２８】
マントルクリップ５６は、任意の適切な材料により形成されるが、本発明の一態様によれば、直径０.０３２ｉｎｃｈ（０．８１２８ｍｍ）で、３０２／３０４の半分の硬度を有するステンレス鋼ワイヤなどの可撓性および弾性のある金属より形成することができる。この材質を、例えば、図２および図３に示すマントルクリップ５６に用いると、その弾性により、該マントルクリップにマントルマウントに接するようにバイアスがかけられる。このマントルクリップ５６は、例えば、図２および図３に示すような形状に湾曲した単一体であってもよいし、特定のマントルクリップをマントルマウントに取り付けるために、他の好適な材料を選択および使用してもよい。
【００２９】
図２および図３に示すマントルクリップ５６は、その末端がある角度に曲がった端部６２、６４を有する。このマントルクリップ５６がバイアスをかけられていない状態、すなわち解放状態を、図３の右下に示す。
【００３０】
従来の形態において、マントル（例えば、マントル２２）はマントルクリップ５６に取り付けられている。一般に、公知であるが、マントルとは、触媒物質で作られた袋あるいは布のことである。マントルは、通常、マントルマウントに外嵌される一つの開口端を備える。マントルクリップ２４または５６は、そのマントルの開口部の周囲に外嵌され、あるいはその他の適切な手段により装着される。例えば、マントルクリップ５６をマントル２２に取り付ける方法として、マントル２２をマントルクリップ５６に対して縫いつけたり、プリーツ加工を施したりすることができ、他の適切な手段をとってもよい。このようなマントルをマントルクリップに取り付ける方式は公知であり、そのうちのいくつかは米国特許第５，６３９，２３１号に記載されている。
【００３１】
いずれの場合も、マントル（例えば、マントル２２）をマントルクリップ５６に取り付けてから、矢印６６で示すように端部６２、６４を押し挟む。これらの両端部６２、６４はマントルクリップ５６の抵抗に反して、内方に抑えつけられ、最終的には図３の中央部に示すような状態となる。これら両端部６２、６４をこの位置で保持しながらスロット４４に挿入する。その後、マントルクリップ５６および／または端部６２、６４を解放する。端部６２、６４が当接部４６、４８に当たるので、端部６２、６４はこのようなバイアスをかけられた位置で保持される。
【００３２】
図２に示したホルダ４０と、マントルクリップ５６と、マントル２２との組立体を製品として販売することが可能である。マントル２２の上縁部を外方向にアイロンがけして、マントル２２およびマントルクリップ５６をマントルマウントに設置するための開口部を設けるのが好ましい。
【００３３】
マントル２２およびマントルクリップ５６をマントルマウントに設置するには、ユーザは、ホルダ４０のグリップ部４２を掴んでマントルクリップ５６およびマントル２２を外方に伸長させる。そして、ユーザは、マントルクリップ５６の中央湾曲部５８をマントルマウント３６を囲むように配置する。中央湾曲部５８の後部がマントルマウント３６の周囲に引っかかったら、ユーザは、ホルダ４０をマントルクリップ５６から取り外す。図示した例において、ユーザは、ホルダ４０を後方に引っ張る。これにより、マントルクリップ５６の端部６２、６４が、第１当接部４６と第２当接部４８の壁面をスライドして、スロット４４の外へ出る。この位置で、端部６２、６４は、マントルクリップ５６にかかるバネのバイアスにより、図３の右下に示す元の位置に戻る。この位置で、中央湾曲部５８の内径部は、マントルマウント３６に嵌め込まれる。このようにして、マントルクリップ５６およびマントル２２が設置される。その後、ホルダ４０を適切にゴミ箱に捨てるか、好適な材料で作られている場合には燃やすなどして、適切に廃棄される。
【００３４】
ホルダ７０の第二実施形態を、図４および図５に示す。ホルダ７０は、ホルダ４０のグリップ部４２と同様のグリップ部７２を有するが、スロット４４の代わりに、２つのスロット７４、７５を備える。当接部７６、７８がそれぞれ２つのスロット７４、７５の内側壁に形成されている。
【００３５】
ホルダ７０と共に使用するマントルクリップ８６を、図４および図５に示す。マントルクリップ５６と同様、マントルクリップ８６はＶ字型の突出部９０を有する中央湾曲部８８を備える。しかし、その端部９２、９４はより短く、異なった形状を有しており、その端が曲がっているものの、マントルクリップ５６の端部６２、６４の端ほど急な角度で曲がってはいない。
【００３６】
マントルクリップ５６をホルダ４０に設置するのと同じ方法で、マントルクリップ８６をホルダ７０に設置するが、端部９２、９４を内方ではなく外方に曲げて湾曲部８８にバイアスをかけて開状態にする点で異なっている。すなわち、マントル２２をマントルクリップ８６に設置する際、両端部９２、９４は矢印９６に沿って外方に曲げられることになる。そして、端部９２、９４が、それぞれ２つのスロット７４、７５に挿入された後で、マントルクリップ８６を解放すると、端部９２、９４の端が当接部７６、７８に対して抑えつけられるようになる。マントルクリップ８６がホルダ７０に設置されている状態を、図４に示す。
【００３７】
図４および図５において、ホルダ７２およびマントルクリップ８６の細部を示すために、マントル２２を省略するが、マントル２２はマントルクリップ５６に設置されるのと同様にしてマントルクリップ８６に設置される。マントル２２と、マントルクリップ８６と、ホルダ７０との組立体は、ユニットとして販売することが可能なマントルアッセンブリ（例えば、マントルアッセンブリ２６）をなしている。
【００３８】
マントルクリップ８６およびマントル２２を、マントルクリップ５６と同様の方法で、マントルマウント３６に設置する。中央湾曲部８８をマントルマウント３６を囲むように配置し、端部９２、９４の両端がスロット７４から解放されるまで、ホルダ７０を後方に引っ張る。すると、その両端は、図５の右下に示す形状に戻り、マントルクリップおよびマントル２２は、マントルクリップ８６にかけられているバネのバイアスにより、マントルマウント３６の所定位置に保持される。
【００３９】
図４および図５に示したホルダ７０の構成は、図２および図３に示したホルダ４０の構成に対し、２つの異なるスロット７４、７５を使用するので、マントルクリップ８６の端部９２、９４の端が、よりしっかりと保持されるという点において有利である。この利点は、バネの弾性があまりないマントルクリップを使用し、主に端部９２、９４間の係止力によってマントルクリップ８６を所定位置に保持する場合に有効である。この実施形態において、ホルダ７０をねじって十字に交差させることで、両端部を完全に係止するようにしてもよい。このようにして、マントルクリップ８６内にバイアスをかけるバネ力を利用することなく、マントルクリップ８６をマントルマウント３６に係止できる。
【００４０】
ホルダ１００の別の実施形態を、図６および図７に示す。ホルダ１００は、ホルダ７０およびホルダ４０と同様な形状をしており、同様な形状のグリップ部１０２を有するが、ホルダ１００では、その前縁外側にスロット１０４、１０５が形成される。当接部１０６、１０８はそれぞれスロット１０４、１０５の内側壁に形成される。
【００４１】
ホルダ１００と共に使用するマントルクリップ１１６を、図６および図７に示す。マントルクリップ８８、５８と同様、マントルクリップ１１６は、中央湾曲部１１８およびＶ字型の突出部１２０を備える。しかし、マントルクリップ８８、５８とは異なり、マントルクリップ１１６の端部１２２、１２４は、マントルクリップ１１６が図７の右下に示すような解放位置にあるときに、同じ位置に並んでいる。
【００４２】
マントルクリップ１１６を設置するために、端部１２２、１２４を矢印１２６に沿って外方に引っ張り、図７の中央に示す位置まで移動させる。そして、端部１２２、１２４の端をスロット１０４、１０５に挿入することによって、マントル２２が装着されたマントルクリップ１１６をホルダ１００に設置する。その後、このマントルクリップ１１６が解放され、端部１２２、１２４の端が、スロット１０４、１０５内の当接部１０６、１０８に対し当たるようになる。このようにして、マントルクリップ１１６は、図６に示す開位置で保持される。このように設置されたホルダ１００と、マントルクリップ１１６と、マントル２２は、製品として販売できる。
【００４３】
マントルクリップ１１６とマントル２２を設置するには、ユーザは中央湾曲部１１８をマントルマウント３６に配置して、ホルダ１００を後方に引っ張ることにより、端部１２２、１２４の端が当接部１０６、１０８との係合状態から解放されて、スロット１０４、１０５から出るようにする。そして、端部１２２、１２４の端は、図７の右下隅に示す位置に戻り、マントルマウント３６の外径に対する係止位置となる。
【００４４】
このように、本発明のマントルクリップ２４は、ホルダを用いて内方や外方にバイアスをかけたり、あるいは、ホルダ２０により捩ることにより、所定位置に係止される。その他の取り付け手段でもよく、例えば、ホルダ２０を下方に曲げてマントルクリップ２４を所定位置に係止するようにしてもよいし、マントルクリップが脚部を１つだけ備え、他の手段によってホルダに取り付けるようにしてもよいし、あるいは、それ以外の適切な手段を用いてもよい。
【００４５】
ホルダ４０、７０、１００は、小さなつまみ形のものとして示されているが、ホルダ２０を他の形状としてもよい。これらに限定されないが、例えば、ホルダ２０を細長形にして、ユーザがランタン１０の極近くまで手を差し込むことなく、マントルを設置できるようにしてもよい。あるいは、ホルダ２０を曲げて、ユーザがマントルクリップ２４とマントル２２をグローブ内に挿入することによって、グローブを取り外すことなくマントルをマントルマウント３６に設置できるようにしてもよい。さらに、ホルダ２０の構造は別の形態であってもよく、例えば、マントルクリップの両端部が挿入できるようなストロー状であってもよいし、ユーザがマントルクリップ２４とマントル２２をマントルマウント３６に設置できるような他の適切な形態を採ることもできる。
【００４６】
他の変形についても本発明の思想の範囲内である。すなわち、本発明は、種々の変形、代替構造を許容するものである一方で、本発明の特定の実施形態を図に示し、上述の通り詳細に説明した。しかしながら、本発明は、上記で開示した特定の形態に限定されるものではなく、逆に、請求の範囲で定められた本発明の思想および範囲内に入るすべての変形、代替構造、および均等物をも含むものであると理解されるべきである。
【図面の簡単な説明】
【００４７】
図１は、マントルおよびマントルクリップをランタンに設置するために使用する、本発明の一態様によるマントルホルダの斜視図である。
【００４８】
図２は、本発明による第１のマントルホルダ、マントルクリップ、およびマントルアッセンブリの側面斜視図である。
【００４９】
図３は、図２のホルダおよびマントルクリップの組立を示す分解図である。
【００５０】
図４は、第２のマントルホルダおよびマントルクリップの側面斜視図であり、細部が見えるようにマントルを省略した図である。
【００５１】
図５は、図４のホルダおよびマントルクリップの組立を示す分解図である。
【００５２】
図６は、第３のマントルホルダおよびマントルクリップの側面斜視図であり、細部が見えるようにマントルを省略した図である。
【００５３】
図７は、図６のホルダおよびマントルクリップの組立を示す分解図である。
【図１】
2006524421.tif 000003
【図２】
2006524421.tif 000004
【図３】
2006524421.tif 000005
【図４】
2006524421.tif 000006
【図５】
2006524421.tif 000007
【図６】
2006524421.tif 000008
【図７】
2006524421.tif 000009
【国際調査報告】
2006524421.tif 000010
2006524421.tif 000011
2006524421.tif 000012